【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
制御バルブアクチュエータとともに使用する装置であって、
ベアリング保持部および前記ベアリング保持部から延在するシャフト部分を有するロッドエンドベアリングと、
前記制御バルブアクチュエータのダイヤフラムプレートに作動可能に連結される第１の端部、および前記ロッドエンドベアリングに連結される第２の端部を有するアクチュエータステムと、
前記アクチュエータステムまたは前記ロッドエンドベアリングと一体構造に形成され、前記アクチュエータステムが前記ダイヤフラムプレートに連結または分離されたとき、前記アクチュエータステムと前記ロッドエンドベアリングが分離するのを防ぐ係止メカニズムと、を備え、
前記係止メカニズムは更に、前記アクチュエータステムとロッドエンドベアリングとが組み立てられたときに、前記アクチュエータステム又はロッドエンドベアリングの一方の開孔部によって露出される部分を有する螺刻されたスタッド、前記ロッドエンドベアリングの係止面に係合する前記アクチュエータステムの第１の端部の係止面、１以上の前記アクチュエータステム及びロッドエンドベアリング上に配備されて工具によって変形される少なくとも１つのタブ、又は前記アクチュエータステムの端部上に配備されて前記ロッドエンドベアリングのシャフト部分の肩部に係合するタブを有する少なくとも１つの変形可能なフィンガの少なくとも１つを含む、装置。
【請求項２】
前記ロッドエンドベアリングの前記シャフト部分が第１の穴を含み、前記アクチュエータステムの前記第２の端部が第２の穴を含む、請求項１に記載した装置。
【請求項３】
前記螺刻されたスタッドが、前記アクチュエータステムを前記ロッドエンドベアリングに連結するために、前記アクチュエータステムおよび前記ロッドエンドベアリングの前記第１および第２の穴により受け入れられる少なくとも部分的に外ネジを螺刻した本体を含む、請求項２に記載した装置。
【請求項４】
前記アクチュエータステムまたは前記ロッドエンドベアリングの開孔部は、前記アクチュエータステムまたは前記ロッドエンドベアリングの外側面から前記スタッドの前記外ネジを螺刻した本体のネジにアクセスさせるために、前記アクチュエータステムまたは前記ロッドエンドベアリングの本体を通る、請求項３に記載した装置。
【請求項５】
前記係止メカニズムが前記ネジの変形を含む、請求項４に記載した装置。
【請求項６】
前記開孔部は、工具が前記ネジを変形させることを可能にするように寸法が設定された、請求項５に記載した装置。
【請求項７】
前記アクチュエータステムの係止面は第１の端部における第１の面を含み、および前記ロッドエンドベアリングの係止面は第１の端部における第２の面を含み、該第２の面は前記アクチュエータステムが前記ロッドエンドベアリングに連結されたときに互いに係合する相補的形状の部分を含む、請求項１に記載した装置。
【請求項８】
前記第１の面および前記第２の面のそれぞれが、複数のセレーションを備え、前記アクチュエータステムのセレーションは、前記ロッドエンドベアリングのセレーションと対合可能に係合して、前記アクチュエータステムが第１の方向に回転されたとき、前記アクチュエータステムに対する前記ロッドエンドベアリングの回転を可能にし、かつ、前記アクチュエータステムが前記第１の方向と反対の第２の方向に回転されたとき、前記ロッドエンドベアリングに対する前記アクチュエータステムの回転を防ぐ、請求項７に記載した装置。
【請求項９】
前記セレーションが鋸歯形状の部分を有する、請求項８に記載した装置。
【請求項１０】
前記アクチュエータステムの前記第２の端部における第１の面は、第１のらせん状の段を備え、前記ロッドエンドベアリングの第１の端部における第２の面は、前記アクチュエータステムの前記第１の面に対合可能に係合する第２のらせん状の段を備える、請求項１に記載した装置。
【請求項１１】
前記第１のらせん状の段が第１の肩部を形成し、前記第２のらせん状の段が第２の肩部を形成し、前記第１および第２のらせん状の段が対合可能に係合して、前記ロッドエンドベアリングに対して第１の方向への前記アクチュエータステムの回転を可能にし、前記第１および第２の肩部が係合して前記ロッドエンドベアリングに対して前記第１の方向と反対の第２の方向への前記アクチュエータステムの回転を防ぐ、請求項１０に記載した装置。
【請求項１２】
前記スタッドが、前記スタッドの第１の螺刻部分と第２の螺刻部分との間に陥没部分またはシャンク部分を有する、請求項１に記載した装置。
【請求項１３】
前記スタッドの前記シャンク部分が、前記シャンクと前記第１の螺刻部分との間に第１の肩部を形成し、前記シャンク部分および前記第２の螺刻部分との間に第２の肩部を形成する、請求項１２に記載した装置。
【請求項１４】
前記アクチュエータステムが前記ロッドエンドベアリングに連結されたとき、前記少なくとも１つのタブが変形されて前記スタッドの前記第１の肩部または前記第２の肩部に係合し、前記アクチュエータステムの前記ロッドエンドベアリングからの分離を防ぐ、請求項１３に記載した装置。
【請求項１５】
一緒に連結されたとき、突起部材が陥没した溝と係合して、前記ロッドエンドベアリングに対する前記アクチュエータステムの回転を防ぐように、前記アクチュエータステムの面の少なくとも一部が突起部材を含み、かつ前記ロッドエンドベアリングの面の少なくとも一部が、前記アクチュエータステムの前記突起部材を対合可能に受け入れる陥没した溝を含む、請求項１に記載した装置。
【請求項１６】
前記ロッドエンドベアリングの前記シャフトが、ヘッド部分と前記シャフトの間に肩部を形成する前記ヘッド部分を有する突起部材を備え、前記アクチュエータステムの前記第２の端部が、前記突起部材の前記ヘッド部分を受け入れる穴を含む、請求項１に記載した装置。
【請求項１７】
前記アクチュエータステムが、前記第２の端部に近接した前記アクチュエータステムの本体に沿って配置されたタブをさらに備え、アクチュエータステムが前記ロッドエンドベアリングに連結されたとき、前記タブが変形されて前記突起部材の前記肩部と係合し、前記アクチュエータステムと前記ロッドエンドベアリングの係脱を防ぐ、請求項１６に記載した装置。
【請求項１８】
前記ロッドエンドベアリングの前記シャフトが、ヘッド部分と前記シャフトとの間に肩部を形成するヘッド部分と、前記ヘッド部分に近接して突き出した螺刻部分とを有する突起部材を備え、前記アクチュエータステムの穴が前記螺刻部分を受け入れる、請求項１に記載した装置。
【請求項１９】
前記変形可能なフィンガは、リップ部分を有する、請求項１８に記載した装置。
【請求項２０】
前記螺刻部分が前記アクチュエータステムの前記穴にねじ込みにより連結されたとき、前記ヘッド部分が前記フィンガの前記リップ部分に係合し、前記フィンガを前記アクチュエータステムから離れるように変形する、請求項１９に記載した装置。
【請求項２１】
前記螺刻部分が前記アクチュエータステムの前記穴内にねじ込まれたとき、前記ヘッド部分が前記リップ部分を解放して前記リップ部分を前記ヘッド部分と前記シャフトとの間の前記肩部に係合させて、係止メカニズムを提供する、請求項２０に記載した装置。
【請求項２２】
制御バルブアクチュエータとともに使用する装置であって、
ロッドエンドベアリングとアクチュエータステムとを連結して、回転バルブアクチュエータとともに使用するロッドエンドベアリングとアクチュエータステムとの接続部を提供する手段と、
連結されたとき前記ロッドエンドベアリングと前記アクチュエータステムとを係止する手段であって、前記ロッドエンドベアリングまたは前記アクチュエータステムと一体構造に形成され、前記アクチュエータステムが前記ロッドエンドベアリングから分離するのを防ぐ、手段と、を備え、
前記係止する手段は更に、前記アクチュエータステムとロッドエンドベアリングとが組み立てられたときに、前記アクチュエータステム又はロッドエンドベアリングの一方の開孔部によって露出される部分を有する螺刻されたスタッド、前記ロッドエンドベアリングの係止面に係合する前記アクチュエータステムの第１の端部の係止面、１以上の前記アクチュエータステム及びロッドエンドベアリング上に配備されて工具によって変形される少なくとも１つのタブ、又は前記アクチュエータステムの端部上に配備されて前記ロッドエンドベアリングのシャフト部分の肩部に係合するタブを有する少なくとも１つの変形可能なフィンガの少なくとも１つを含む、装置。
【請求項２３】
前記係止する手段が、前記アクチュエータステムおよび前記ロッドエンドベアリングの第１の方向への相対回転を可能にし、前記アクチュエータステムおよび前記ロッドエンドベアリングの前記第１の方向と反対の第２の方向への相対回転を防ぐ手段を含む、請求項２２に記載した装置
【請求項２４】
制御バルブアクチュエータとともに使用する装置であって、
ロッドエンドベアリングと、
アクチュエータステムと、
前記ロッドエンドベアリングと前記アクチュエータステムとをねじ込みにより連結し、前記アクチュエータステムとロッドエンドベアリングとが組み立てられたときに、前記アクチュエータステム又はロッドエンドベアリングの一方の開孔部によって露出される部分を有する螺刻部材と、を備え、
前記ロッドエンドベアリング、前記アクチュエータステム、または前記螺刻部材の少なくとも１つは、変形可能な部分を含んで、前記ロッドエンドベアリングと前記アクチュエータステムの偶発的な分離を防ぎ、または前記ロッドエンドベアリングおよび前記アクチュエータステムの１方向のみの回転を防ぎ、
前記変形可能な部分は、１以上の前記アクチュエータステム及びロッドエンドベアリング上に配備されて工具によって変形される少なくとも１つのタブ、又は前記アクチュエータステムの端部上に配備されて前記ロッドエンドベアリングのシャフト部分の肩部に係合するタブを有する少なくとも１つの変形可能なフィンガの少なくとも１つを含む、装置。
【請求項２５】
前記少なくとも１つのタブは、前記アクチュエータステムまたは前記ロッドエンドベアリングの本体部分に沿って配置された、請求項２４に記載した装置。
【請求項２６】
前記螺刻部材の前記変形可能な部分が、工具により変形可能なネジを有する、請求項２４に記載した装置。